(57)【要約】【課題】  ボルトを通す穴が形成されていない縦管部の上部に、各種装置を取り付けることを可能とする補助具を提供する。【解決手段】  補助具１は、分割可能な構成とされており、一対の取付材３，３により構成されている。各取付材３は、略半円弧形の板状とされる。各取付材３には、上下方向に沿う貫通穴７が、周方向に離隔して２つ形成されている。各取付材３の両端部には、下方へ直角に矩形板状に延出して突部９が形成されており、突部９には、貫通穴１１が形成されている。各取付材３の内周側の上部は、径方向内側へ行くにしたがって下方へ傾斜する傾斜面１５に形成されている。一対の取付材３，３は、突部９，９同士がつき合わされるように配置されて、一方の取付材３の突部９の穴１１から、他方の取付材３の突部９の穴１１に向けてボルト１７が差し込まれ、ボルト１７にナット１９がねじ込まれることで互いに固定される。【選択図】  図２
2015042825.tif 000002
【特許請求の範囲】
【請求項１】
縦管の径方向外側への凸部の下方に設けられるか、または、縦管の上端部を締め付けるように設けられる一対の取付材を備え、
前記一対の取付材には、前記縦管に取り付けられる装置または補修弁の貫通穴に対応した位置に貫通穴が形成されている
ことを特徴とする縦管への装置等取り付け用補助具。
【請求項２】
前記取付材は、略半円弧形状とされ、その両端部には下方への突部が形成されており、
一対の取付材は、前記縦管を挟み込むように設けられて、前記各突部同士がボルトにより固定される
ことを特徴とする請求項１に記載の縦管への装置等取り付け用補助具。
【請求項３】
前記取付材の内周側上部が傾斜面に形成されている
ことを特徴とする請求項１または請求項２に記載の縦管への装置等取り付け用補助具。
【発明の詳細な説明】
【技術分野】
【０００１】
本発明は、縦管に各種装置を取り付けるのに用いられる補助具に関するものであり、特に、打倒型の地上式消火栓が接続される縦管に各種装置を取り付けるのに用いられる補助具に関するものである。
【背景技術】
【０００２】
従来、水道管の維持管理のために、水道管内に伸縮性を有した球状のピグを送り込んで清掃したり、水道管内にカメラを送り込んで調査が行われたりしている。この際、水道管に設けられ、消火栓が接続される補修弁が利用されることがある。
【０００３】
具体的には、図７に示すように、横管により構成される水道管５１には、適宜上方へ分岐して縦管５３が設けられており、この縦管５３の上端部に補修弁５５が取り付けられ、この補修弁５５に消火栓５７が接続されている。図７に示される補修弁５５は、ボール式補修弁とされる。図７に示される補修弁５５や消火栓５７は、地下に形成されたボックスＢ内に収容されている。
【０００４】
補修弁５５は、略円筒状とされ、その上下両端部にそれぞれフランジ５８，５９が形成されている。補修弁５５の下側のフランジ５９には、４つの貫通穴６０が周方向等間隔に離隔して形成されている。補修弁５５は、下側のフランジ５９が、水道管５１から延出した縦管５３のフランジに重ね合わされて、貫通穴６０からボルト６１が差し込まれ、ボルト６１にナット６２がねじ込まれて縦管５３に固定されている。
【０００５】
消火栓５７の下端部には、フランジ６３が形成されており、補修弁５５の上側のフランジ５８に重ね合わされて、補修弁５５と消火栓５７のフランジ５８，６３同士が、ボルト６５、ナット６７により固定されている。具体的には、補修弁５５の上側のフランジ５８には４つの貫通穴６８が周方向等間隔に離隔して形成されており、消火栓５７のフランジ６３にも４つの貫通穴６９が周方向等間隔に離隔して形成されている。そして、これらの貫通穴６８，６９が同軸線上に配置された状態でボルト６５が通されて、ボルト６５にナット６７がねじ込まれる。
【０００６】
水道管５１内をピグにより清掃する場合、まず、消火栓５７を補修弁５５から一時的に取り外し、図８に示すように、ピグを投入するランチャー７１を補修弁５５に取り付ける。ランチャー７１の下端部には、フランジ７３が形成されており、このフランジ７３を補修弁５５の上側のフランジ５８に重ね合わせた状態で、ボルト７５、ナット７７により補修弁５５にランチャー７１が固定される。具体的には、ランチャー７１のフランジ７３には、４つの貫通穴７４が周方向等間隔に離隔して形成されており、この貫通穴７４が、補修弁５５のフランジ５８の貫通穴６８と同軸上に配置された状態で、ボルト７５を差し込み、ボルト７５にナット７７がねじ込まれて固定される。
【０００７】
また、ランチャー７１から離隔した位置において、同様に、消火栓５７を補修弁５５から一時的に取り外して、ピグを回収するキャッチャー８１を補修弁５５に取り付ける。
キャッチャー８１の下端部には、ネジ棒状の棒材８３が下方へ突出して設けられており、この棒材８３が補修弁５５のフランジ５８の貫通穴６８に通されて、棒材８３にナット８５がねじ込まれることで、補修弁５５にキャッチャー８１が固定される。
【０００８】
補修弁５５にランチャー７１およびキャッチャー８１を取り付けた後、ランチャー内にピグＰを投入して、水圧によって水道管５１内を走行させる。水道管内を走行したピグＰは、キャッチャー８１内に進入して回収される。
【０００９】
このように、従来は、消火栓が接続される補修弁にランチャーやキャッチャーが取り付けられていた。また、同様に、カメラを水道管内へ送り込む際にも、補修弁にカメラを挿入する装置が取り付けられていた。
【発明の概要】
【発明が解決しようとする課題】
【００１０】
ところで、消火栓は、地上に設置される場合があり、さらに、消火栓に車などが衝突した際に、水の噴出を防止するために、打倒型の地上式消火栓が設けられる場合がある。
【００１１】
具体的には、図９に示すように、水道管５１から一旦水平方向に延出した後、さらに上方へ延出する略Ｌ字形の分岐管９１が、水道管に接続されている。この分岐管の上端部に円筒状の管９３が接続され、この管９３に補修弁９５が接続されている。
そして、補修弁９５の上部にさらに縦管９７が接続されて、この縦管９７の上端部に打倒型の地上式消火栓９９が接続されている。
【００１２】
補修弁９５は、地下に配置され、補修弁９５を開閉するための操作棒（不図示）は、地上へ導出されており、地上で補修弁９５の開閉操作を行うことができる。
また、補修弁９５の上部に接続される縦管９７の上端部は、地上へ突出している。
【００１３】
消火栓９９が接続される縦管９７の上端部には、径方向外側へ突出して環状の凸部１０１が形成されている。また、凸部１０１の下面は、上方へ行くにしたがって径方向外側へ傾斜する傾斜面１０１ａに形成されている。
【００１４】
消火栓９９は、円柱状とされ、その下端部には、径方向外側へ突出して鍔部１０３が形成されている。消火栓９９は、縦管９７の上端部に載せ置かれて配置され、消火栓９９の鍔部１０３と、縦管９７の凸部１０１とがクリップ部材１０５により取り付けられている。
【００１５】
クリップ部材１０５は、略コ字形状とされ、その中央片の中央部１０５ａの厚みが薄く形成されており、所定以上の負荷が加わると破壊される構成とされている。
【００１６】
消火栓９９は、その上端部の軸１０９を回転操作することで、前記縦管９７内に設けられた弁体（不図示）が開閉する構成とされている。
【００１７】
縦管９７に取り付けられた消火栓９９に車などが衝突した場合、クリップ部材１０５の中央部１０５ａが折れて破壊することで、消火栓９９が縦管９７から脱落する。
この際、消火栓９９の弁体は縦管９７内に残るように構成されており、消火栓９９が縦管９７から離脱しても水が噴出することはない。また、消火栓９９が縦管９７から離脱することで、水道管５１への衝撃はほとんどなく、水道管５１の破損が防止され、水の噴出が防止される。
【００１８】
このような構成の打倒型の地上式消火栓９９が接続される縦管９７の上端部には、ボルトを通す穴が形成されたフランジが設けられておらず、縦管９７に各種装置を取り付けることができなかった。つまり、図８に示すような、ランチャーやキャッチャーを縦管に取り付けることができず、水道管内の清掃や調査を行うことができなかった。
【００１９】
本発明が解決しようとする課題は、打倒型の地上式消火栓が接続される縦管のように、ボルトを通す穴が形成されていない縦管部の上部に、各種装置や補修弁を取り付けることを可能とする補助具を提供することにある。
【課題を解決するための手段】
【００２０】
本発明は、前記課題を解決するためになされたもので、請求項１に記載の発明は、縦管の径方向外側への凸部の下方に設けられるか、または、縦管の上端部を締め付けるように設けられる一対の取付材を備え、前記一対の取付材には、前記縦管に取り付けられる装置または補修弁の貫通穴に対応した位置に貫通穴が形成されていることを特徴とする縦管への装置等取り付け用補助具である。
【００２１】
請求項２に記載の発明は、前記取付材は、略半円弧形状とされ、その両端部には下方への突部が形成されており、一対の取付材は、前記縦管を挟み込むように設けられて、前記各突部同士がボルトにより固定されることを特徴とする請求項１に記載の縦管への装置等取り付け用補助具である。
【００２２】
さらに、請求項３に記載の発明は、前記取付材の内周側上部が傾斜面に形成されていることを特徴とする請求項１または請求項２に記載の縦管への装置等取り付け用補助具である。
【発明の効果】
【００２３】
本発明によれば、打倒型の地上式消火栓が接続される縦管のように、ボルトを通す穴が形成されていない縦管部に、各種装置や補修弁を取り付けることを可能とする補助具を提供できる。
【図面の簡単な説明】
【００２４】
【図１】本発明の補助具の一実施例を示す斜視図である。
【図２】図１の補助具の分解斜視図である。
【図３】図１の補助具が取り付けられた縦管に、ランチャーを取り付けようとしている状態を示す図である。
【図４】図１の補助具が取り付けられた縦管に、ランチャーおよびキャッチャーを取り付けた状態を示す概略図である。
【図５】図１の補助具が取り付けられた縦管に、カメラ挿入装置を取り付けた状態を示す概略図である。
【図６】図１の補助具が取り付けられた縦管に補修弁を取り付け、この補修弁にランチャーおよびキャッチャーを取り付けた状態を示す概略図である。
【図７】水道管に消火栓が設けられた状態を示す図である。
【図８】図７に示す状態から消火栓が取り外され、補修弁にランチャーおよびキャッチャーが取り付けられた状態を示す図である。
【図９】打倒型の地上式消火栓の一例を示す図である。
【発明を実施するための形態】
【００２５】
以下、本発明の補助具の一実施例について図面に基づいて具体的に説明する。
【００２６】
図１および図２は、本発明の補助具の一実施例を示す図であり、図１は斜視図、図２は分解斜視図である。
【００２７】
図１に示すように、本実施例の補助具１は、円環状とされる。また、図２に示すように、補助具１は、分割可能な構成とされており、一対の取付材３，３により構成されている。
【００２８】
各取付材３は、略半円弧形の板状とされる。つまり、各取付材３は、円環状の板材を二つ割りした形状とされる。各取付材３には、上下方向に沿う貫通穴７が、周方向に離隔して２つ形成されている。
【００２９】
各取付材３の両端部には、下方へ直角に矩形板状に延出して突部９が形成されている。つまり、取付材３の両端部は、Ｌ字形に形成されて突部９が形成されている。この突部９には、板厚方向（図２において左右方向）に沿って、円形の貫通穴１１が形成されている。
【００３０】
各取付材３の内周側の上部は、径方向内側へ行くにしたがって下方へ傾斜する傾斜面１５に形成されている。
【００３１】
一対の取付材３，３は、その突部９，９同士がつき合わされるように配置されて、一方の取付材３の突部９の穴１１から、他方の取付材３の突部９の穴１１に向けてボルト１７が差し込まれ、ボルト１７にナット１９がねじ込まれることで互いに固定されて、円環状の補助具１が構成される。環状に構成される補助具１は、平面視において、周方向等間隔に離隔して４つの貫通穴７が配置される。
【００３２】
このような構成の本実施例の補助具１は、水道管の縦管部に、各種装置を接続するのに用いられる。たとえば、水道管内をピグで清掃する際に使用されるランチャーやキャッチャーを、水道管の縦管に接続するのに用いられたり、水道管内へカメラを送り込むのに使用される挿入装置を水道管の縦管に接続したりするのに用いられる。
【００３３】
以下では、本実施例の補助具１を使用して、ランチャーおよびキャッチャーを水道管の縦管部に接続して管内を清掃する場合について説明する。より具体的には、図９に示されるような打倒型の地上式消火栓９９が接続される縦管９７に、ランチャーおよびキャッチャーを接続する方法について説明する。
【００３４】
図３は、図９に示す状態から消火栓が取り外された縦管に、補助具が取り付けられた状態を示す斜視図である。図４は、補助具が取り付けられた縦管に、ランチャーおよびキャッチャーを取り付けた状態を示す概略図である。
【００３５】
ピグにより水道管内を清掃する際、まず、水道管５１に設けられた開閉弁を閉じて、水道管５１の一部を断水（区間断水）してピグの走行経路とする。そして、区間断水した一端部において、縦管９７から消火栓９９を取り外す。つまり、図９に示す状態において、縦管９７から消火栓９９を取り外す。この際、補修弁９５を閉じておく。
【００３６】
縦管９７から消火栓９９を取り外した後、縦管９７の上端部に補助具１を取り付ける。
具体的には、縦管９７を挟み込むように、凸部１０１の下方位置において、一対の取付材３，３を縦管９７の外周部に取り付ける。そして、一方の取付材３の突部９の穴１１から、他方の取付材３の突部９の穴１１に向けてボルト１７を差し込み、ボルト１７にナット１９をねじ込んで、一対の取付材３，３を縦管９７の上端部に取り付ける。縦管９７に補助具１を取り付けた状態では、各取付材３の傾斜面１５が、縦管９７の凸部１０１の傾斜面１０１ａに当接することで、補助具１の上方への抜けが防止される。縦管９７に補助具１を取り付けた状態では、補助具１の４つの貫通穴７が縦管９７の凸部１０１より径方向外側へ配置されている。
【００３７】
ランチャー７１は、円筒状のランチャー本体２１と、このランチャー本体２１の上端部を塞ぐ蓋２２とを有する。
【００３８】
ランチャー本体２１の下端部は、下方へ行くに従って縮径する円錐状に形成されており、下端部に径方向外側へ拡径してフランジ７３が形成されている。このフランジ７３には、周方向に等間隔に離隔して、４つの貫通穴７４が上下方向に沿って形成されている。
【００３９】
蓋２２は、ランチャー本体２１の上部開口を塞ぐようにランチャー本体２１に載せ置かれて、ランチャー本体にボルトで固定される。蓋２２には、送水パイプ２４の一端部が接続されている。
【００４０】
縦管９７の上部に円環状のパッキン（不図示）が載せ置かれた状態で、縦管９７にランチャー７１が載せ置かれる。この際、補助具１の貫通穴７と、ランチャー７１のフランジ７３の貫通穴７４とが上下方向に沿うように、ランチャー７１を縦管９７に載せ置く。そして、ボルト２５が、ランチャー７１のフランジ７３の貫通穴７４から補助具１の貫通穴７に通され、ボルト２５にナット２６がねじ込まれることで、ランチャー７１が縦管９７に固定される。
このように、同軸線上に配置された補助具１の貫通穴７とランチャー７１の貫通穴７４にボルト２５が通されて、ボルト２５にナット２６がねじ込まれることで、水道管５１の縦管部にランチャー７１が取り付けられる。
【００４１】
次に、区間断水した他端部において、縦管９７から消火栓９９を取り外し、縦管９７の上端部に補助具１を取り付けて、縦管９７にキャッチャー８１を取り付ける。
【００４２】
キャッチャー８１は、円筒状のキャッチャー本体２７と、このキャッチャー本体２７の上端部を塞ぐ蓋２８とを有する。キャッチャーの蓋２８は、キャッチャー本体２７の上部開口を塞ぐ円板状とされ、その中央部には、耐圧ガラス２９が固定されて窓が形成されている。
【００４３】
図示例では、キャッチャー本体２７は、有底の円筒状とされ、その底壁３０の中央部には、軸方向に沿って円形の貫通穴が形成されており、この貫通穴と連通するように、パイプ３１が底壁３０の中央部に立設されている。本実施例では、パイプ３１の軸方向の寸法は、キャッチャー本体２７の軸方向の寸法の約半分程度とされる。また、本実施例では、パイプ３１の内径は、縦管９７の内径に対応している。
【００４４】
このパイプ３１の上端部には、複数本の線材３２によりピグ収容部３３が形成されている。本実施例では、パイプ３１の上端部に、線材３２の下端部がそれぞれ固定され、上方へ放射状に広がって、各線材３２の上端部が、キャッチャー本体２７の上端部内周面に固定されてピグ収容部３３が形成されている。
【００４５】
また、キャッチャー本体２７の下端部には、水平に延出して排水管３４が接続されている。さらに、キャッチャー本体２７の底壁には、下方へ突出して棒材８３が設けられている。本実施例では、キャッチャー本体２７の底壁の周方向等間隔４か所に、下方へ突出して棒材８３が設けられており、各棒材の下端部外周面にはネジが形成されて、棒材８３はネジ棒状とされている。
【００４６】
このような構成のキャッチャー８１は、縦管９７の上端部に円環状のパッキン（不図示）が載置された状態で、そのキャッチャー本体２７の棒材８３が、補助具１の貫通穴７に差し込まれて、縦管９７に載せ置かれ、棒材８３の下端部にナット３５がねじ込まれて管に固定される。
【００４７】
このように、離隔して配置された縦管９７，９７に、それぞれランチャー７１およびキャッチャー８１を取り付けた後、ランチャー本体２１内にピグＰを収容して蓋２２を閉じる。ピグＰは、弾性変形可能なウレタン製の略球状とされる。
【００４８】
ランチャー７１にピグＰを投入して蓋２２を閉じた後、補修弁９５を開けて、送水パイプ２４からランチャー７１内へ水を送り込む。この水圧により、ピグＰは、水道管内を移動してキャッチャー８１内に収容される。ピグＰが水道管５１内を移動することで、水道管５１の内周面がピグＰと当接して、錆こぶなどが取れ、キャッチャー８１内へ塵が回収される。
【００４９】
このように、本実施例の補助具１を用いることで、縦管の上端部に、ボルトが通される穴が形成されていない場合でも、ランチャーやキャッチャーを縦管に取り付けることができ、水道管内をピグにより清掃することができる。
【００５０】
次に、水道管内にカメラを送り込むのに使用されるカメラ挿入装置を、縦管９７に取り付ける場合について説明する。
【００５１】
図５は、縦管に取り付けられたカメラ挿入装置により、カメラを水道管内へ送り込んでいる状態を示す図である。
【００５２】
挿入装置３６は、筒状の支持部材３７と、この支持部材３７に対して、水密状態で進退可能な挿入部材３８と、挿入部材３８の下端部に揺動可能に設けられる案内部材３９とを備えている。
【００５３】
支持部材３７の下端部には、径方向外側へ突出してフランジ４０が形成されている。このフランジ４０には、周方向に等間隔に離隔して、４つの貫通穴４１が形成されている。
【００５４】
図９に示す状態において、縦管９７から消火栓９９が一旦取り外され、縦管９７に補助具１が取り付けられた状態で、縦管９７の上端部に円環状のパッキン（不図示）が載せ置かれて、さらに支持部材３７が縦管９７の上端部に載置される。そして、ボルト４２が、支持部材３７のフランジ４０の貫通穴４１から補助具１の穴７に通され、ボルト４２にナット４３がねじ込まれることで、支持部材３７が縦管９７に固定される。
【００５５】
支持部材３７の上端部中央には、パッキン４４が設けられており、挿入部材３８は、水密状態を維持して支持部材３７に対して上下動可能とされる。また、挿入部材３８の上端部には、パッキン４５が設けられており、カメラケーブルＣＣは、パッキン４５を介して外部へ導出されており、水密性を維持した状態で、挿入部材３８に対して進退可能とされる。カメラケーブルＣＣは、挿入装置３６の外部においてドラムに巻かれており、その端部には、カメラＣからの映像を映し出すモニターや録画機器が設けられている。
【００５６】
挿入部材３８の下端部にカメラＣが配置された状態で、挿入部材３８が、支持部材３７に対して下方へ押し込まれることで、カメラＣが水道管内へ送り込まれる。そして、管底において、案内部材３９が展開し、カメラケーブルＣＣを送り込むことで、カメラＣが管路に沿って移動し、管内を撮影することができる。
【００５７】
このように、本実施例の補助具１を用いることで、ボルトが通される穴が形成されていない凸部（フランジを含む）を有する管や、凸部を有していない管に、各種装置を接続することができる。
【００５８】
図６は、本実施例の補助具が取り付けられた縦管に補修弁を取り付け、この補修弁にランチャーおよびキャッチャーを取り付けた状態を示す概略図である。
【００５９】
ところで、上記実施例では、補助具１を用いて縦管に各種装置を直接接続したが、補助具１を用いて縦管に補修弁を取り付け、この補修弁に各種装置を接続するようにしてもよい。つまり、縦管に補修弁を介して各種装置を取り付けるようにしてもよい。
【００６０】
具体的には、図６に示すように、補助具１を取り付けた縦管９７に、補修弁５５を載せ置く。図６における補修弁は、図７や図８と同様、ボール式補修弁とされ、弁箱４６内に回転可能に球状の弁体４７が収容されている。弁体４７には、直径方向に貫通穴４７ａが形成されており、レバーＬの操作により弁体４７の貫通穴４７ａの向きを変更することで、補修弁の開閉が可能とされる。
【００６１】
補修弁５５を縦管９７に載せ置いた状態で、補修弁５５の下側のフランジ５９の貫通穴６０から補助具１の穴７にボルト４９を差し込み、ボルト４９にナット５０をねじ込んで、補修弁５５を縦管９７に固定する。
そして、この補修弁５５にランチャー７１またはキャッチャー８１を載せ置いて、ランチャー７１のフランジ７３と補修弁５５の上側のフランジ５８とをボルト７５とナット７７により固定し、キャッチャー８１の棒材８３を補修弁５５の上側のフランジ５８の貫通穴６８に通してナット８５を棒材８３にねじ込んで固定する。
【００６２】
このように、縦管９７に補修弁５５を介してランチャー７１またはキャッチャー８１を取り付けた状態で、上記と同様にピグにより管内を清掃することができる。
また、縦管に補助具を用いて補修弁を取り付け、この補修弁に上記と同様にカメラ調査装置を取り付けてもよい。
【００６３】
本発明の補助具は、上記実施例の構成に限らず、適宜変更可能である。
たとえば、上記実施例では、補助具１は、分離した一対の取付材３，３により構成とされたが、各取付材３の一端部同士がヒンジ構造などで開閉可能に連結された構成としてもよい。
【００６４】
また、各取付材３に設けられる貫通穴７の個数や位置は適宜変更可能であり、縦管に取り付けられる装置や補修弁に対応させればよい。
【００６５】
また、上記実施例では、補助具１は、縦管９７の凸部１０１の傾斜面１０１ａに当接するようにして上方への抜けを防止したが、縦管９７に一対の取付材３，３を取り付けた状態で、取付材３，３同士を締め付けることで、縦管９７に対して抜けないようにしてもよい。この際、各取付材３，３の周方向の長さを若干短くしておけばよい。
【００６６】
また、上記実施例では、一対の取付材３，３は、ボルト１７とナット１９により突部９，９同士を固定して一体化させたが、一対の取付材３，３の内、一方の取付材３の突部９の穴１１をネジ穴とし、他方の取付材３の突部９の穴１１からボルトをねじ込んで固定するようにしてもよい。さらに、取付材３の貫通穴７をネジ穴として、装置側から差し込まれるボルトを、ねじ込むようにしてもよい。
【００６７】
また、上記実施例では、ピグによる清掃の際に使用されるランチャーやキャッチャー、および管内へカメラを送り込むための装置を縦管に取り付けたが、他の装置を縦管に取り付けるのに補助具１を用いても構わない。たとえば、流量を測定するための流量計を管内へ送り込むための装置や、水質調査をするための装置などを補助具を介して縦管に取り付けるようにしてもよい。すなわち、装置側のフランジを補助具と固定できれば、装置の種類は特に問わない。
【００６８】
また、上記実施例では、水道管の縦管に各種装置を取り付ける場合について説明したが、ガス管などの各種管でも同様に使用可能である。
【符号の説明】
【００６９】
１  補助具
３  取付材
５５  補修弁
９７  縦管
９９  消火栓
【図１】
2015042825.tif 000003
【図２】
2015042825.tif 000004
【図３】
2015042825.tif 000005
【図４】
2015042825.tif 000006
【図５】
2015042825.tif 000007
【図６】
2015042825.tif 000008
【図７】
2015042825.tif 000009
【図８】
2015042825.tif 000010
【図９】
2015042825.tif 000011